(57)【特許請求の範囲】
【請求項１】
センタ側から無線通信手段を介して遠隔でメータ検針や監視を行う遠隔管理システムに用いられ、使用者側に設置される端末網制御装置に接続して必要なデータを読み書きするデータ設定器において、
前記データ設定器を固定するデータ設定器固定手段を設け、
前記データ設定器固定手段は、前記端末網制御装置との間でデータを読み書きする信号を送受信するケーブルで構成し、前記ケーブルの被覆によって前記データ設定器を吊り下げて所定の位置に保持する
ことを特徴とするデータ設定器。
【請求項２】
センタ側から無線通信手段を介して遠隔でメータ検針や監視を行う遠隔管理システムに用いられ、使用者側に設置される端末網制御装置に接続して必要なデータを読み書きするデータ設定器において、
前記データ設定器を固定するデータ設定器固定手段を設け、
前記データ設定器固定手段は、前記端末網制御装置との間でデータを読み書きする信号を送受信するケーブルとは別に、前記データ設定器を吊り下げて所定の位置に保持するための吊り下げ部材で構成することを特徴とするデータ設定器。
【請求項３】
請求項１に記載のデータ設定器において、
前記ケーブルの被覆に円形端子を設けたことを特徴とするデータ設定器。
【請求項４】
請求項１に記載のデータ設定器において、
前記ケーブルの被覆にフック型端子を設けたことを特徴とするデータ設定器。
【請求項５】
請求項１に記載のデータ設定器において、
前記ケーブルの被覆に先開型端子を設けたことを特徴とするデータ設定器。
【発明の詳細な説明】
【技術分野】
【０００１】
本発明は、ガス、電気及び水道等の遠隔検針及び監視のための端末網制御装置に接続してデータの授受を行うデータ設定器に関する。
【背景技術】
【０００２】
近年、電話回線を介して使用者宅のガス，電気及び水道等のメータの遠隔検針や、ガス漏れなどの遠隔監視を行う遠隔管理システムが広く使用されている。このような遠隔管理システムでは、使用者宅内に、ガス，電気及び水道等の各メータに接続して使用量を読み取るメータＩＦ（インターフェース）と、読み取った使用量を電話回線を通じて、センタ側に送信する機能を有する端末網制御装置（ＮＣＵ：Ｎetwork Ｃontrol Ｕnit）が設置されている。或いは、データ設定器を未接続のメータポートに接続して、現場でデータの読み書きを行えるようになっている。特に、端末網制御装置を新設する際やメンテナンスを行う際に、端末網制御装置にデータ設定器を接続して、端末のシリアル番号や通報先の電話番号などの設定データの読み書きを行う必要がある。
【０００３】
例えば、特許文献１では、サービスマンが既設の端末網制御装置にデータ設定器を有線で接続して、保守操作を行う方法が紹介され、特に、データ設定器をＬＰＧ用と都市ガス用とに兼用できるように切換回路を設けて、データ設定器および端末網制御装置の構造を簡略化する技術が開示されている。
【特許文献１】特許第２９６５３７８号公報
【発明の開示】
【発明が解決しようとする課題】
【０００４】
ところが、データ設定器によるデータの読み書きのためには、従来、サービスマンが端末網制御装置の設置場所まで行って、キー操作を行う必要があった。特に、端末網制御装置の設置場所が高所の場合や狭小空間の場合には、サービスマンが現場でデータ設定器を端末網制御装置に接続して、データ設定したり不具合を回復するのに多大な手間を要するなどの課題があった。
【０００５】
また、データ設定器の保守対象である端末網制御装置は、遠隔制御のための主たる伝送路として、２線のメタリックケーブル（一般電話回線）によるアナログ回線、ＩＳＤＮ（統合デジタル通信網）などのデジタル回線、光ファイバー回線などが用いられていた。このため、端末網制御装置に回線を引き込むなどの工事が必要になるという課題があった。
さらに、端末網制御装置にデータ設定器を接続する場合に、未使用のメータＩＦを利用されることもあり、接続時に、未使用であるか否かをサービスマンが確認しなければならないという課題があった。
【０００６】
上記課題に鑑み、本発明の目的は、端末網制御装置に有線回線を引き込む必要がなく、データ設定器の設置が容易で、端末網制御装置とデータ設定器とを簡単に接続可能なデータ設定器を提供することである。
【課題を解決するための手段】
【０００７】
本発明に係るデータ設定器は、センタ側から遠隔でメータ検針や監視を行う遠隔管理システムに用いられる。また、使用者側に設置される端末網制御装置に接続して必要なデータを読み書きするデータ設定器において、データ設定器に必要なデータを読み書きする無線通信手段が設けられている。従来、電話回線など有線の媒体を介して、センタ側と通信していたが、無線通信手段を設けたことによって、回線工事などが不要となり、設置の自由度が高くなる。
【０００８】
特に、本発明では、データ設定器に、データ設定器固定手段を設け、データ設定器固定手段は、端末網制御装置との間でデータを読み書きする信号を送受信するケーブルとは別に、データ設定器を吊り下げて所定の位置に保持するための吊り下げ部材で構成したことを特徴とする。データ設定器を吊り下げ部材によって、壁面などに吊り下げることができ、設置面積が狭い場合などでも設置することができ、設置の自由度が高くなる。
【０００９】
或いは、端末網制御装置との間でデータを読み書きする信号を送受信するケーブルを有し、ケーブルの被覆によってデータ設定器を吊り下げて所定の位置に保持することを特徴とする。つまり、吊り下げ部材と信号ケーブルとを共用することによって、専用の吊り下げ部材を必要とせず、設置の自由度を高めることができる。
さらに、ケーブルの被覆に円形端子を設けたことを特徴とする。円形端子を設けることによって、アンカーなどで固定し易くなり、設置作業効率が向上する。
【００１０】
或いは、ケーブルの被覆にフック型端子を設けたことを特徴とする。フック型端子を設けることによって、既設のアンカーなどに掛けるだけで設置が完了するので、設置作業効率がさらに向上する。
または、ケーブルの被覆に先開型端子を設けたことを特徴とする。先開型端子を設けることによって、端末網制御装置の未使用の信号端子などに固定することができ、専用のアンカーなどを設ける必要がなくなる。
【発明の効果】
【００１３】
本発明によれば、無線通信手段をデータ設定器に設けることによって、有線回線を接続することなく、端末網制御装置とのデータの読み書きを行うことができる。また、データ設定器を設置する際に、吊り下げ部材を用いることによって、設置場所の自由度を高めることができる。さらに、吊り下げ部材にケーブルの被覆を利用することによって、新たな部材を必要とせず、コスト削減が可能になる。特に、必要に応じて、取り付け金具を選択することによって、様々な場所に固定することができる。
【発明を実施するための最良の形態】
【００１５】
以下、図面を参照して本発明に係るデータ設定器及び端末網制御装置の実施形態について説明する。
（第１の実施形態）
本発明に係る第１の実施形態のデータ設定器は、端末網制御装置の未接続のメータポートに接続して、データの読み書きを行う装置である。尚、データ設定器と端末網制御装置とは、一体として作用し、技術的特徴を共有するものである。
【００１６】
先ず、電話回線を介して使用者宅のガスメータの遠隔検針や、ガス漏れなどの遠隔監視を行う遠隔管理システムを例に挙げて、図１を用いてシステム全体の構成について説明する。
図１において、１０１は端末網制御装置、１０２はメータ信号線、１０３はガスメータ、１０４はガスボンベ、１０５はガス配管、１０６は電話引き込み線、１０７は保安器、１０８は電話回線、１０９はデータ信号線、１１０はターミナルアダプタ、１１１は電話機、１１２はデータ設定器をそれぞれ表している。また、図１（ａ）は本実施形態のシステムの概要を示す図で、図１（ｂ）は従来のシステムの概要を示す図である。
【００１７】
図１（ｂ）において、端末網制御装置１０１は、メータ信号線１０２を介してガスメータ１０３に接続され、ガスメータ１０３から使用量などの信号を読み取る。ガスメータ１０３はガス配管１０５を介して２本のガスボンベ１０４に接続され、非図示の配管によって屋内に引き込まれている。
また、端末網制御装置１０１は、電話引き込み線１０６によって、保安器１０７を介して電話局からの電話回線１０８に接続されている。この電話回線１０８を介して、端末網制御装置１０１は遠隔地の管理センタに接続され、ガスメータ１０３の使用量の確認や監視が行われる。
【００１８】
さらに、端末網制御装置１０１は、電話引き込み線１０６ｂによって、電話機１１１を局からの電話回線１０８に接続する。尚、１０６ｃは使用する回線がアナログ電話回線からＩＳＤＮなどのデジタル回線に種別が変更になったために未接続になった。また、２線のメタリックケーブルから光ファイバーに通信媒体が変更になった場合にも同様に未接続になる。
【００１９】
このように、従来の端末網制御装置１０１は、電話回線１０８に接続するための網制御装置（ＮＣＵ）の機能が内蔵されていたので、メタリックワイヤによるアナログ電話回線，ＩＳＤＮなどのデジタル回線，あるいは光ファイバーなどの光回線などの通信媒体に応じて、端末網制御装置１０１自体を取り替える必要があったが、本実施形態では取り替える必要がない。
【００２０】
本実施形態に係る端末網制御装置１０１およびデータ設定器１１２は、図１（ａ）に示すように構成されている。
図１（ａ）において、電話局からの電話回線１０８は、保安器１０７および電話引き込み線１０６を介して、直接、屋内のターミナルアダプタ１１０および電話機１１１に接続され、端末網制御装置１０１には接続されず、端末網制御装置１０１の電話引き込み線１０６ｃは切断された状態になっている。代わりに、端末網制御装置１０１からデータ信号線１０９を介してデータ設定器１１２が接続されている。尚、端末網制御装置１０１とガスメータ１０３との接続は、図１（ｂ）と変わらない。
【００２１】
次に、データ設定器１１２の構成について、図２を用いて詳しく説明する。データ設定器１１２は、メータＩＦ２０１と、制御部２０２と、センタＩＦ２０３とで構成されている。
メータＩＦ２０１は、信号線２０４ａおよび２０４ｂによって、端末網制御装置１０１のメータポート２０５ａおよび２０５ｂに接続されている。
【００２２】
制御部２０２は、メータＩＦ２０１を介して読み取った端末網制御装置１０１からの信号をセンタ側に送信する情報にプロトコル変換してセンタＩＦ２０３に出力する。或いは、センタＩＦ２０３から受信したセンタ側からの情報をプロトコル変換して、メータＩＦ２０１を介して端末網制御装置１０１に出力する。
センタＩＦ２０３は、無線通信手段を有しており、遠隔地のセンタ側と無線通信する。尚、無線通信手段は、例えば、Ｄｏｐａ（商標）と呼ばれる無線パケット網や、携帯電話或いはその他の無線通信網に接続可能な無線通信手段であれば何でも構わない。もちろん、センタ側も同じ種類の無線通信手段を備える必要がある。
【００２３】
このように、本実施形態のデータ設定器１１２は、端末網制御装置１０１とは別筐体になっており、使用する通信媒体がアナログ電話回線からＩＳＤＮ回線、さらには光ファイバー回線に変更になっても、データ設定器１１２を取り付けるだけで対応することができ、端末網制御装置１０１全体を取り替える必要がなくなる。特に、本実施形態のデータ設定器１１２のセンタＩＦ２０３は、無線通信手段を備えているので、電話回線１０８や光ファイバなどの有線の通信媒体を接続する工事を行う必要がなく、データ設定を容易に行うことができる。
【００２４】
また、使用する回線種別に変更がなく、電話引き込み線を介した検針や監視が継続して実施できる場合にも、以下のような効果を奏する。データ設定器１１２を端末網制御装置１０１の未接続のメータポートに常時接続しておき、書き込みや読み出しの操作は無線通信手段を介して離れたところから行うことができるので、端末網制御装置１０１が手の届きにくい場所に設置されていても、無線通信の範囲内にあれば、データの読み書きを、近づくのが困難な場所でも行うことができる。特に、無線通信手段によってデータセンタから読み書きを行うので、現地対応に先立って問題の原因解明が可能となり、効率的な対応を行うことができる。
【００２５】
（第２の実施形態）
次に、本発明の第２の実施形態に係るデータ設定器１１２について、図３を用いて説明する。尚、システム全体の構成及びデータ設定器１１２の構成は、第１の実施形態の図１（ａ）および図２と同じである。
図３において、データ設定器１１２は吊り下げワイヤ３０１ａおよび３０１ｂによって、壁面などに取り付けられたアンカ３０２ａおよび３０２ｂに固定されている。尚、吊り下げワイヤ３０１ａおよび３０１ｂの片側は、データ設定器１１２の筐体に一体化されるなど、予め固定されている。
【００２６】
このように、データ設定器１１２に吊り下げワイヤ３０１ａおよび３０１ｂを備えることによって、データ設定器１１２を端末網制御装置１０１の筐体以外の場所に取り付けることが可能になる。この結果、データ設定器１１２を必ずしも壁面に密着固定する必要がなくなり、設置面積を小さくすることができる。
（第３の実施形態）
次に、本発明の第３の実施形態に係るデータ設定器１１２について、図４を用いて説明する。尚、システム全体の構成及びデータ設定器１１２の構成は、第１の実施形態の図１（ａ）および図２と同じである。
【００２７】
図４において、データ設定器１１２は吊り下げワイヤ３０１ａおよび３０１ｂによって、端末網制御装置１０１の端子台の未接続のポート３０３ａおよび３０３ｂ（例えば、電話回線接続用のポートなど）にネジで固定されている。尚、吊り下げワイヤ３０１ａおよび３０１ｂの片側は、第２の実施形態と同様に、データ設定器１１２の筐体に予め固定されている。
【００２８】
一方、信号線２０４ａおよび２０４ｂは、吊り下げワイヤ３０１ａおよび３０１ｂとは別に端末網制御装置１０１のメータポート２０５ａおよび２０５ｂに接続されている。
このように、データ設定器１１２に吊り下げワイヤ３０１ａおよび３０１ｂを備え、データ設定器１１２を端末網制御装置１０１の使用していないポートに取り付けることが可能になる。この結果、第２の実施形態のように、アンカ３０２ａおよび３０３ｂを不要にできる。
【００２９】
（第４の実施形態）
次に、本発明の第４の実施形態に係るデータ設定器１１２について、図５を用いて説明する。尚、システム全体の構成及びデータ設定器１１２の構成は、第１の実施形態の図１（ａ）および図２と同じである。
図５において、データ設定器１１２は、第２の実施形態と同様に、吊り下げワイヤ３０１ａおよび３０１ｂによって、アンカ３０２ａおよび３０２ｂに固定されている。第２の実施形態と異なるのは、信号線２０４ａおよび２０４ｂが吊り下げワイヤ３０１ａおよび３０１ｂに絡ませながら、端末網制御装置１０１のメータポート２０５ａおよび２０５ｂに接続されていることである。
【００３０】
このように、信号線２０４ａおよび２０４ｂが吊り下げワイヤ３０１ａおよび３０１ｂに固定されるので、風などの振動による断線や端子外れなどのトラブルを防止することができる。
（第５の実施形態）
次に、本発明の第５の実施形態に係るデータ設定器１１２について、図６を用いて説明する。尚、システム全体の構成及びデータ設定器１１２の構成は、第１の実施形態の図１（ａ）および図２と同じである。
【００３１】
図６において、データ設定器１１２は、第２の実施形態と同様に、吊り下げワイヤ３０１ａおよび３０１ｂによって、アンカ３０２ａおよび３０２ｂに固定されている。第２の実施形態と異なるのは、信号線２０４ａおよび２０４ｂとして、吊り下げワイヤ３０１ａおよび３０１ｂと一体化された平行ケーブル３０４ａおよび３０４ｂを用いていることである。
【００３２】
このように、信号線２０４ａおよび２０４ｂとして、吊り下げワイヤ３０１ａおよび３０１ｂに一体化された平行ケーブル３０４ａおよび３０４ｂが使用されているので、風などの振動による断線や端子外れなどのトラブルを防止することができ、第４の実施形態のように、信号線２０４ａおよび２０４ｂを吊り下げワイヤ３０１ａおよび３０１ｂに絡ませる作業が不要になる。
【００３３】
（第６の実施形態）
次に、本発明の第６の実施形態に係るデータ設定器１１２について、図７を用いて説明する。尚、システム全体の構成及びデータ設定器１１２の構成は、第１の実施形態の図１（ａ）および図２と同じである。
図７において、データ設定器１１２は、第２の実施形態の吊り下げワイヤ３０１ａおよび３０１ｂの代わりに、被覆ケーブル３０５ａおよび３０５ｂを用い、被覆３０６ａおよび３０６ｂによってアンカ３０２ａおよび３０２ｂに固定されている。また、信号線２０４ａおよび２０４ｂは被覆ケーブル３０５ａおよび３０５ｂの芯線を用いて、端末網制御装置１０１のメータポート２０５ａおよび２０５ｂに接続されている。
【００３４】
このように、データ設定器１１２を信号線２０４ａおよび２０４ｂを芯線とする被覆ケーブル３０５ａおよび３０５ｂの被覆３０６ａおよび３０６ｂを用いてアンカ３０２ａおよび３０２ｂに吊り下げることによって、データ設定器１１２を端末網制御装置１０１の筐体以外の場所に取り付けることが可能になる。この結果、データ設定器１１２を必ずしも壁面に密着固定する必要がなくなり、設置面積を小さくすることができる。特に、データ設定器１１２を適切な位置に保持するのに必要な張力を、被覆ケーブル３０５ａおよび３０５ｂの被覆３０６ａおよび３０６ｂに負担させることによって、専用の吊り下げワイヤ３０１ａおよび３０１ｂを使用する必要がなくなり、ローコスト化が可能になる。
【００３５】
（第７の実施形態）
次に、本発明の第７の実施形態に係るデータ設定器１１２について、図８を用いて説明する。尚、システム全体の構成及びデータ設定器１１２の構成は、第１の実施形態の図１（ａ）および図２と同じである。
図８において、データ設定器１１２は、被覆ケーブル３０５ａおよび３０５ｂを用いる第６の実施形態のデータ設定器１１２と同じ構成になっている。本実施形態では、被覆ケーブル３０５ａおよび３０５ｂの被覆３０６ａおよび３０６ｂの端部に円形型端子３０７ａおよび３０７ｂが予め取り付けられている。円形型端子３０７ａおよび３０７ｂによって、取り付け強度を増すことができ、固定する際に被覆３０６ａおよび３０６ｂを釘やネジなどに絡める必要がなく、容易に固定することが可能になる。尚、円形型端子３０７ａおよび３０７ｂを被覆ケーブル３０５ａおよび３０５ｂの被覆３０６ａおよび３０６ｂに予め固定する例として、圧着などの方法を用いることができる。
【００３６】
（第８の実施形態）
次に、本発明の第８の実施形態に係るデータ設定器１１２について、図９を用いて説明する。尚、システム全体の構成及びデータ設定器１１２の構成は、第１の実施形態の図１（ａ）および図２と同じである。
図９において、データ設定器１１２は、第７の実施形態において、円形型端子３０７ａおよび３０７ｂの代わりに、フック型端子３０８ａおよび３０８ｂを用いている。フック型端子３０８ａおよび３０８ｂを用いることによって、取り付け強度を増すことができるだけでなく、既に、壁面に設置されている釘や金具などに引っ掛けることができ、設置の手間を省くことができる。尚、第７の実施形態の円形型端子３０７ａおよび３０７ｂと同様に、圧着などの方法によって、フック型端子３０８ａおよび３０８ｂを被覆ケーブル３０５ａおよび３０５ｂの被覆３０６ａおよび３０６ｂに予め固定することができる。
【００３７】
（第９の実施形態）
次に、本発明の第９の実施形態に係るデータ設定器１１２について、図１０を用いて説明する。尚、システム全体の構成及びデータ設定器１１２の構成は、第１の実施形態の図１（ａ）および図２と同じである。
図１０において、データ設定器１１２は、第７の実施形態において、円形型端子３０７ａおよび３０７ｂの代わりに、先開型端子３０９ａおよび３０９ｂを用いている。先開型端子３０９ａおよび３０９ｂを用いることによって、例えば、図４に示すデータ設定器１１２のように、端末網制御装置１０１の開いているポートに接続する際に、ポートの固定ネジなどに絡める必要がなく、先開型端子３０９ａおよび３０９ｂの先をポートの固定ネジに差し込んでネジを締めるだけで固定することができ、取り付け強度を増すと共に、設置の手間を省くことができる。尚、第７の実施形態の円形型端子３０７ａおよび３０７ｂと同様に、圧着などの方法によって、先開型端子３０９ａおよび３０９ｂを被覆ケーブル３０５ａおよび３０５ｂの被覆３０６ａおよび３０６ｂに予め固定することができる。
【００３８】
（第１０の実施形態）
次に、本発明の第１０の実施形態に係る端末網制御装置１０１ｂとデータ設定器１１２ｂとを１つにまとめたデータ設定器内蔵型端末網制御装置４０１について、図１１（ａ）を用いて説明する。尚、システム全体の構成は第１の実施形態の図１（ａ）と、データ設定器１１２ｂの構成は図２のデータ設定器１１２と基本的に同じである。データ設定器１１２ｂがデータ設定器１１２と異なるのは、データ設定器１１２から出ている信号線２０４ａおよび２０４ｂの代わりに、データ設定器１１２ｂにはスライド電極４０３および４０４が設けられていることである。また、データ設定器１１２ｂは端末網制御装置１０１ｂの端子台カバー４０２の内側に設置されており、端子台カバー４０２を端末網制御装置１０１ｂの本体側に被せると、スライド電極４０３および４０４は端子台４０５の端子台ネジ４０６および４０７に対向する位置にデータ設定器１１２ｂが配置されている。
【００３９】
端末網制御装置１０１本体側の端子台４０５は、電話回線１０８を接続する従来の場合に対応しており、例えば、点線４０８の部分は電話局からの電話回線の局線を接続する端子、点線４０９はターミナルアダプタ１１０や電話機１１１を接続する端子、点線４１０はその他のメータを接続する端子などで構成されている。尚、端子台ネジ４０６および４０７は、データ設定器１１２ｂを接続する端子である。
【００４０】
このように、端子台カバー４０２を端末網制御装置１０１ｂの本体側に被せることによって、スライド電極４０３および４０４は端子台４０５の端子台ネジ４０６および４０７に固定的に接続される。
次に、空き端子に自動的に接続する例について説明する。図１１（ｂ）は、端子台４０５のそれぞれの端子台ネジに対向して複数のスライド電極４１１がデータ設定器１１２ｂに配置された図である。この場合のスライド電極と端子台ネジとを接続する方法について、図１２を用いて詳しく説明する。尚、図１２は、図１１の端子台４０５を横方向から見た図で、端子台カバー４０２は端末網制御装置１０１ｂに被せられた状態になっている。
【００４１】
図１２（ａ）は、端末網制御装置１０１ｂの端子台４０５の端子台ネジ４０６にメータが接続されていない場合の図で、図１２（ｂ）は、端末網制御装置１０１ｂの端子台４０５の端子台ネジ４０６にメータ信号線５０５を介して他のメータなどが接続されている場合の図である。
図１２（ａ）において、データ設定器１１２ｂに取り付けられた横通し電極５０１には、端子毎電極５０２が取り付けられている。端子毎電極５０２は、スライド電極４０３と一体化されたピン５０３によって押し上げることができる。また、スライド電極４０３は、端子台４０５の端子台ネジ４０６と接触し、導通状態になっている。つまり、データ設定器１１２ｂは、端末網制御装置１０１ｂに接続された状態にある。尚、横通し電極５０１は、端子台カバー４０２を端末網制御装置１０１ｂに取り付ける際に、他のスライド電極によって、点線Ａの位置から点線Ｂの位置に押し上げられる。この結果、横通し電極５０１は、端子毎電極５０２と接触する。
【００４２】
次に、図１２（ｂ）において、端子台４０５の端子台ネジ４０６にメータ信号線５０５を介して他のメータなどが接続されている場合、端子台ネジ４０６がメータ信号線５０５によって上に持ち上がっているため、スライド電極４０３も上に持ち上がり、ピン５０３は上に押し上げられ、端子毎電極５０２も上に押し上げられる。端子毎電極５０２が上に押し上げられると、横通し電極５０１と離れ、非接触の状態になる。つまり、データ設定器１１２ｂは、端末網制御装置１０１ｂに接続されない状態にある。尚、横通し電極５０１は、端子台カバー４０２を端末網制御装置１０１ｂに取り付ける際に、スライド電極４０３の上部によって、点線Ａの位置から点線Ｂの位置に押し上げる。
【００４３】
ここではスライド電極４０３について説明したが、図１１のスライド電極４０４についても、スライド電極４０３と同様に作用する。また、図１２（ｃ）のように、上段の横通し電極５０１と下段の横通し電極５０１ｂとが連動して上下するようにしても構わない。この場合は、上段のスライド電極４０３が端子台ネジ４０６によって押し上げられると、スライド電極４０３のピン５０３の先端が横通し電極５０１と下段の横通し電極５０１ｂとを押し上げるので、上段の端子毎電極５０２と横通し電極５０１とは非導通状態になり、下段の端子毎電極５０２ｂと横通し電極５０１ｂとは導通状態になる。この時、点線Ａの位置は導通状態になる位置で、点線Ｂは非導通状態になる位置である。
【００４４】
このように、上段だけでなく、下段の各電極と連動してもよい。この結果、どこに空きポートがあるか分からなくても、必要のある端子が物理的に接続されるので、空きポートを探す必要がなくなる。
このように、データ設定器１１２ｂを端末網制御装置１０１ｂの端子台カバー４０２の内側に配置し、端子台カバー４０２の取り付けにより信号端子が繋がる位置に配置することによって、第２から第９の実施形態のように、データ設定器１１２を吊り下げる必要がなく、容易にデータ設定器１１２ｂを端末網制御装置１０１ｂに取り付けることができる。
【００４５】
特に、端末網制御装置１０１ｂの端子台カバー４０２の内側に配置するデータ設定器１１２ｂのスライド電極４０３および４０４は、端子台４０５の端子台ネジ４０６および４０７のネジ頭の高さに応じて上下にスライドし、他のメータの接続のある端子位置では非導通となり、他のメータの接続のない端子位置では導通する機構を備えることによって、接続位置の変更や接続数の増減など、端末網制御装置１０１ｂの使用状況に応じて柔軟に対応することができる。
【００４６】
また、端末網制御装置１０１ｂと各メータとの信号の送受信を行う端子は、接続位置の変更や接続数の増加が可能になることで、端末網制御装置１０１ｂの利便性や経済性が向上する。
（第１１の実施形態）
次に、本発明の第１１の実施形態に係るデータ設定器１１２ｃについて、図１３を用いて説明する。尚、システム全体の構成は第１の実施形態の図１（ａ）と同じである。データ設定器１１２ｃがデータ設定器１１２と異なるのは、キー入力部６０１と表示部６０２とを備えていることである。
【００４７】
図１３において、メータＩＦ２０１は、第１の実施形態と同様に、信号線２０４ａおよび２０４ｂによって、端末網制御装置１０１のメータポート２０５ａおよび２０５ｂに接続されている。
制御部２０２ｃは、メータＩＦ２０１を介して読み取った端末網制御装置１０１からの信号を表示できる情報に変換して表示部６０２に表示すると共に、プロトコル変換してセンタＩＦ２０３から無線でセンタに送信する。或いは、キー入力部６０１から入力するサービスマンからの情報を変換して、メータＩＦ２０１を介して端末網制御装置１０１に出力する。
【００４８】
尚、表示部６０２は、例えば液晶パネルで構成し、キー入力部６０１は、例えば、テンキーや専用ボタンなどで構成する。
このように、本実施形態のデータ設定器１１２ｃは、現地でサービスマンが保守点検する際にも、その場でキー入力部６０１を操作し、設定状態を表示部６０２で確認することができる。尚、本実施形態のデータ設定器１１２ｃにおいても、他の実施形態で述べた設置方法を用いることができ、同様の効果が得られる。
【図面の簡単な説明】
【００４９】
【図１】システム全体の構成を説明する説明図である。
【図２】本発明の第１の実施形態に係るデータ設定器１１２の構成を示すブロック図である。
【図３】本発明の第２の実施形態に係るデータ設定器１１２の設置状態を示す図である。
【図４】本発明の第３の実施形態に係るデータ設定器１１２の設置状態を示す図である。
【図５】本発明の第４の実施形態に係るデータ設定器１１２の設置状態を示す図である。
【図６】本発明の第５の実施形態に係るデータ設定器１１２の設置状態を示す図である。
【図７】本発明の第６の実施形態に係るデータ設定器１１２の設置状態を示す図である。
【図８】本発明の第７の実施形態に係るデータ設定器１１２の設置状態を示す図である。
【図９】本発明の第８の実施形態に係るデータ設定器１１２の設置状態を示す図である。
【図１０】本発明の第９の実施形態に係るデータ設定器１１２の設置状態を示す図である。
【図１１】本発明の第１０の実施形態に係るデータ設定器内蔵型端末網制御装置４０１の構成を説明する説明図である。
【図１２】データ設定器内蔵型端末網制御装置４０１の端子接続を説明する説明図である。
【図１３】本発明の第１１の実施形態に係るデータ設定器１１２ｃのブロック図である。
【符号の説明】
【００５０】
１０１，１０１ｂ・・・端末網制御装置
１０３・・・ガスメータ          １０４・・・ガスボンベ
１０６・・・電話引き込み線      １０８・・・電話回線
１１０・・・ターミナルアダプタ  １１１・・・電話機
１１２，１１２ｂ，１１２ｃ・・・データ設定器
２０５ａ，２０５ｂ・・・メータポート
２０４ａ，２０４ｂ・・・信号線
２０１・・・メータＩＦ          ２０２・・・制御部
２０３・・・センタＩＦ
３０１ａ，３０１ｂ・・・吊り下げワイヤ
３０２ａ，３０２ｂ・・・アンカ
３０３ａ，３０３ｂ・・・未接続ポート
３０４ａ，３０４ｂ・・・平行ケーブル
３０５ａ，３０５ｂ・・・被覆ケーブル
３０６ａ，３０６ｂ・・・被覆
３０７ａ，３０７ｂ・・・円形型端子
３０８ａ，３０８ｂ・・・フック型端子
３０９ａ，３０９ｂ・・・先開型端子
４０１・・・データ設定器内蔵型端末網制御装置
４０２・・・端子台カバー
４０３，４０４，５０３・・・スライド電極
４０６，４０７・・・端子台ネジ
４０５・・・端子台              ５０２・・・端子毎電極
５０１・・・横通し電極          ６０２・・・表示部
６０１・・・キー入力部
【図１】
0004564468.tif 000002
【図２】
0004564468.tif 000003
【図３】
0004564468.tif 000004
【図４】
0004564468.tif 000005
【図５】
0004564468.tif 000006
【図６】
0004564468.tif 000007
【図７】
0004564468.tif 000008
【図８】
0004564468.tif 000009
【図９】
0004564468.tif 000010
【図１０】
0004564468.tif 000011
【図１１】
0004564468.tif 000012
【図１２】
0004564468.tif 000013
【図１３】
0004564468.tif 000014